(57)【要約】【課題】水滴受板の中央板部に水滴が衝突した際に発生する音の響きを低減できる換気口端末部材等を提供する。【解決手段】本発明に係る換気口端末部材は、建物の外壁に形成された換気孔に取付けられる換気口端末部材であって、建物の外壁面より建物の外側に突出するフード部３と、フード部３の天板３２の上に弾性支持体４を介して設けられた水滴受板５と、制振材６とを備え、水滴受板５は、水滴を受ける中央板部５１と、中央板部５１の周辺に設けられた周辺板部（長辺縁側周辺板部５２）とを備え、制振材６が周辺板部に取付けられたことを特徴とする。【選択図】図７
2020143837.tif 000002
【特許請求の範囲】
【請求項１】
建物の外壁に形成された換気孔に取付けられる換気口端末部材であって、
建物の外壁面より建物の外側に突出するフード部と、フード部の天板の上に弾性支持体を介して設けられた水滴受板と、制振材とを備え、
水滴受板は、水滴を受ける中央板部と、中央板部の周辺に設けられた周辺板部とを備え、
制振材が周辺板部に取付けられたことを特徴とする換気口端末部材。
【請求項２】
周辺板部は、水滴受板の中央板部に水滴が衝突した際にオクターブ１ｋＨｚ〜４ｋＨｚ帯域の振動を放射するように、中央板部より延長する方向の長さ寸法及び板厚寸法が設定され、
制振材は、周辺板部の１ｋＨｚ〜４ｋＨｚ帯域の振動を抑制することを特徴とする請求項１に記載の換気口端末部材。
【請求項３】
中央板部は水平方向に延在して水滴を受ける表面を有し、周辺板部は中央板部の表面より傾斜して下る傾斜表面を有し、制振材は周辺板部の傾斜表面の裏面に接着されたことを特徴とする請求項１又は請求項２に記載の換気口端末部材。
【請求項４】
制振材は、ゴムアスファルトを用いて形成されたものを用いたことを特徴とする請求項１乃至請求項３のいずれか一項に記載の換気口端末部材。
【請求項５】
請求項１乃至請求項４のいずれか一項に記載された換気口端末部材のフード部及び水滴受板が外壁面よりも外側に突出するように当該換気口端末部材が外壁に設けられた建物であって、
建物の上下階の外壁に設けられた各換気口端末部材の各水滴受板の中央板部の表面が、垂直線上に位置されたことを特徴とする建物。
【発明の詳細な説明】
【技術分野】
【０００１】
本発明は、フード部の天板の上に弾性支持体を介して水滴受板が設けられた構造を備えた換気口端末部材等に関する。
【背景技術】
【０００２】
集合住宅、ホテル、事務所ビル等の建物においては、換気設備の設置が義務付けられている。当該換気設備としては、居室に換気口が設置されて、居室の外壁にベントキャップ等と呼称される換気口端末部材が設置されることが多い。
当該換気口端末部材は、フード部が外壁面よりも外側に突出するように建物の上下階の外壁の換気孔にそれぞれ取付けられ、上下階の各換気口端末部材が、垂直線上に位置されることが多い。
当該建物においては、降雨等の後に、上階の換気口端末部材から水滴が落下して下階の換気口端末部材のフード部の天板の上に衝突した際に、水滴落下衝突音が生じ、当該水滴落下衝突音が固体伝播音として居室内に伝播する。
当該水滴落下衝突音の低下対策を施した換気口端末部材としては、例えば、フード部の天板の上に弾性支持体を介して水滴受板が設けられた構造のものが知られている（特許文献１参照）。
【先行技術文献】
【特許文献】
【０００３】
【特許文献１】特許第５２５８７１２号公報
【発明の概要】
【発明が解決しようとする課題】
【０００４】
特許文献１に開示された換気口端末部材では、水滴受板が、水滴を受ける中央板部と、中央板部の周辺に設けられた周辺板部とを備え、中央板部は水平方向に延在して水滴を受ける表面を有し、周辺板部は中央板部の表面より傾斜して下る傾斜表面を有した構成となっている。
当該構成の場合、水滴受板の中央板部の表面に水滴が衝突した際の振動が水滴受板の中央板部の周縁の部分で増幅して周辺板部を介して空間に放射されるため、長く響く金属音が発生してしまい、当該音が不快な音と感じられる場合があるという課題があった。
本願発明は、水滴受板の中央板部に水滴が衝突した際に発生する音の響きを低減できる換気口端末部材等を提供するものである。
【課題を解決するための手段】
【０００５】
本発明に係る換気口端末部材は、建物の外壁に形成された換気孔に取付けられる換気口端末部材であって、建物の外壁面より建物の外側に突出するフード部と、フード部の天板の上に弾性支持体を介して設けられた水滴受板と、制振材とを備え、水滴受板は、水滴を受ける中央板部と、中央板部の周辺に設けられた周辺板部とを備え、制振材が周辺板部に取付けられたことを特徴とする。
また、周辺板部は、水滴受板の中央板部に水滴が衝突した際にオクターブ１ｋＨｚ〜４ｋＨｚ帯域の振動を放射するように、中央板部より延長する方向の長さ寸法及び板厚寸法が設定され、制振材は、周辺板部の１ｋＨｚ〜４ｋＨｚ帯域の振動を抑制することを特徴とする。
また、中央板部は水平方向に延在して水滴を受ける表面を有し、周辺板部は中央板部の表面より傾斜して下る傾斜表面を有し、制振材は周辺板部の傾斜表面の裏面に接着されたことを特徴とする。
また、制振材は、ゴムアスファルトを用いて形成されたものを用いたことを特徴とする。
本発明に係る換気口端末部材によれば、制振材が周辺板部に取付けられた構成としたので、水滴受板の中央板部に水滴が衝突した際に、周辺板部から空間に放射される振動を抑制でき、水滴受板の中央板部に水滴が衝突した際に発生する音の響きを低減できる。
また、本発明に係る建物は、上述したいずれかの換気口端末部材のフード部及び水滴受板が外壁面よりも外側に突出するように当該換気口端末部材が外壁に設けられた建物であって、建物の上下階の外壁に設けられた各換気口端末部材の各水滴受板の中央板部の表面が、垂直線上に位置されたので、上階の換気口端末部材から水滴が落下して下階の換気口端末部材の水滴受板の中央板部に衝突した際に生じる音の響きを低減できるようになる。
【図面の簡単な説明】
【０００６】
【図１】換気口端末部材を前側から見た斜視図（実施形態）。
【図２】換気口端末部材を後側から見た斜視図（実施形態）。
【図３】換気口端末部材の正面図（実施形態）。
【図４】換気口端末部材の背面図（実施形態）。
【図５】建物の上下階の外壁に取付けられた上の換気口端末部材から下の換気口端末部材に水滴が落下する状態を示す図（実施形態）。
【図６】換気口端末部材の防振体の構造を示す断面図（実施形態）。
【図７】換気口端末部材の分解斜視図（実施形態）。
【図８】弾性支持体を上から見た平面図（実施形態）。
【図９】水滴受板を下から見た底面（裏面（下面））図（実施形態）。
【図１０】実験結果を示す図。
【発明を実施するための形態】
【０００７】
実施形態
図１乃至図６に示すように、実施形態に係る換気口端末部材１は、建物９０の外壁９１に建物９０の内外に連通するように形成された換気孔９２に挿入される筒部２と、建物９０の外壁面９３より建物９０の外側に突出するフード部３と、フード部３の天板３２の上に板状の弾性支持体４を介して設けられた水滴受板５と、制振材６とを備え、水滴受板５は、上方から落下する水滴Ｗを受ける中央板部５１と、中央板部５１の周辺に設けられて振動を放射する周辺板部とを備え、制振材６が周辺板部に取付けられた構成とした。
また、弾性支持体４におけるフード部３の天板３２及び水滴受板５と接していない部分に貫通孔（スリット）Ｘが設けられており、かつ、水滴受板５と弾性支持体４とで構成される防振体の一次固有振動数ｆ０が、オクターブバンドの１６Ｈｚ以上で１２５Ｈｚ以下の周波数となるように設定されている。
当該換気口端末部材１の筒部２、フード部３、水滴受板５は、例えば金属板により形成される。
尚、本明細書においては、換気口端末部材１の上、下、左、右、前、後は、図１，図２に示した方向と定義して説明する。
【０００８】
図１，図２に示すように、フード部３は、四角形状の前板３１と、天板（上板）３２と、左側板３３と、右側板３４と、後板３５とを備えた直方体函状に形成されており、下部が開口された室外側通風孔３６（図１参照）に形成されて、かつ、後板３５を形成する四角形状の板の中央側が開口された室内側通風孔３７に形成され、当該室内側通風孔３７の孔縁側に筒部２の一端開口縁側が接続されている。即ち、筒部２が、フード部３の後板３５に接続されて当該後板３５の後方に延長するように設けられた構成となっている。筒部２は、例えば、円筒部に形成される。
即ち、フード部３は、換気口端末部材１が換気孔９２に取付けられることによって、下部の室外側通風孔３６、及び、室内側通風孔３７を介して、建物９０の内側から建物９０の外側に、又は、建物９０の外側から建物９０の内側に空気が流通可能となる。
また、室外側通風孔３６、及び、室内側通風孔３７のうち、少なくとも、一方の通風孔はガラリ３８（図１参照）に形成されている。
【０００９】
換言すれば、フード部３は、四角形状の前板３１と、前板３１の板面と対向する板面を備えた後板３５と、前板３１の四角形の上辺と後板３５の四角形の上辺とを繋ぐ天板３２と、前板３１の四角形の上辺の一端より下方に延長する四角形の左辺と後板３５の四角形の上辺の一端より下方に延長する左辺とを繋ぐ左側板３３と、前板３１の四角形の上辺の他端より下方に延長する四角形の右辺と後板３５の四角形の上辺の他端より下方に延長する右辺とを繋ぐ右側板３４とで構成され、換気口端末部材１が換気孔９２に取付けられた場合、これら前板３１と天板３２と左側板３３と右側板３４と後板３５とで囲まれた空間が、下部の室外側通風孔３６を介して室外と連通し、かつ、後板３５の室内側通風孔３７を介して室内と連通するように構成されている。
【００１０】
即ち、換気口端末部材１は、筒部２が筒部２の他端側から建物９０の外壁９１に形成された換気孔９２に挿入されて、フード部３の後板３５の後面３５ａが建物９０の外壁面９３に近接し、かつ、天板３２が上方、左側板３３が左側、右側板３４が右側に位置された状態となるように設置される。
尚、筒部２の外周面には、例えば図外の板ばねが設けられており、当該筒部２が換気孔９２内に押し込まれて当該板ばねが換気孔９２の内面にばね弾性によって押し付けられることによって、換気口端末部材１が換気孔９２に固定され、当該固定された状態で、フード部３の後板３５の上縁、左縁、右縁と外壁面９３との隙間にシーリング材等の隙間充填剤が充填されることにより、換気口端末部材１が換気孔９２に取付けられる。
【００１１】
また、フード部３の後板３５の下端側には、フード部３の板面を伝って流れてくる水を受けて当該受けた水を外壁面９３から離れた外壁面９３の前側に流す水切部３９を備える。
水切部３９は、例えば、フード部３の後板３５において室外側通風孔３６よりも下方に突出した部分により形成された奥板３９ａと、奥板３９ａの下端側の左右の側縁より突出する突出片３９ｂ，３９ｂと、奥板３９ａの下端及び左右の突出片３９ｂ，３９ｂの下端より前方下方に傾斜して突出する傾斜片３９ｃと、傾斜片３９ｃの左右の側縁より上方に立ち上がるように設けられた左右の規制片３９ｄ，３９ｄとを備えた構成である。
当該水切部３９を備えたので、フード部３の板面を伝って流れてくる水滴が傾斜片３９ｃを介して外壁面９３の前側に流下して、下階の換気孔９２に取付けられた換気口端末部材１の水滴受板５の表面（上面）に落下するので、水滴が外壁面９３を伝って流れ落ちることを防止でき、外壁面９３に水跡が付いてしまうことを防止できる。
【００１２】
フード部３の天板３２の上に弾性支持体４を介して設けられた水滴受板５は、フード部３の天板３２の上方を覆うように配置された屋根形状の板材により構成される。
図１に示すように、例えば、水滴受板５の表面は、寄棟の頂上部がフード部３の天板３２の長方形よりも一回り小さい相似な長方形の平面状となった屋根形状に形成される。
そして、水滴受板５は、中央板部５１の表面を構成する長方形の中心５Ｃが、フード部３の天板３２の板面と直交して当該天板３２の表面を構成する長方形の中心を通過する垂直線Ｖ上に位置されるように、弾性支持体４を介してフード部３の天板３２の上に設けられる。
【００１３】
そして、図５に示すように、上下階の外壁９１，９１に、換気口端末部材１のフード部３及び水滴受板５が外壁面９３より外側に突出するように各換気口端末部材１，１が設けられ、各換気口端末部材１，１の各水滴受板５，５の中央板部５１，５１の表面の中心５Ｃ，５Ｃが、垂直線Ｖ上に位置された建物９０が構成される。
当該建物９０においては、上階に取付けられた換気口端末部材１のフード部３の板面を伝って水切部３９に流れてくる水が水切部３９の傾斜片３９ｃの前端を介して下階に取付けられた換気口端末部材１の水滴受板５の表面（上面）に落下する。
【００１４】
水滴受板５は、例えば、フード部３の天板３２の長方形よりも一回り小さい長方形状の板により形成されて板面がフード部３の天板３２の板面と所定の間隔を隔てて平行に対向すように配置された中央板部５１と、当該中央板部５１を構成する長方形板の各辺縁から対応するフード部３の天板３２の長方形板の各辺縁に近付くように傾斜する傾斜板により形成された周辺板部とを備え、当該周辺板部が、中央板部５１を構成する長方形板の各長辺縁から延長するように設けられた長辺縁側周辺板部５２，５２と、中央板部５１を構成する長方形板の各短辺縁から延長するように設けられた短辺縁側周辺板部５３，５３とを備えた構成である。
即ち、水滴受板５は、中央板部５１は水平方向に延在して水滴を受ける表面を有し、周辺板部は中央板部５１の表面より傾斜して下る傾斜表面を有するように構成されている。
【００１５】
尚、中央板部５１の表面に水滴が衝突した場合に周辺板部から空間に放射される振動の固有振動数は、理論的には以下の式により求まる。
【数１】
2020143837.tif 000003
【００１６】
実施形態においては、水滴受板５の長辺縁側周辺板部５２は、中央板部５１より延長する方向の長さ寸法（以下、「幅寸法」という）Ｈが１２ｍｍに設定されるとともに、板厚寸法が１．２ｍｍに設定されており、中央板部５１の表面に水滴が衝突した場合に、特に、オクターブ２ｋＨｚ帯域の振動を放射する構成となっている。
【００１７】
そして、実施形態においては、中央板部５１の表面に水滴が衝突した場合に、当該長辺縁側周辺板部５２，５２が空間に放射するオクターブ２ｋＨｚ帯域の振動を抑制するため、図１，図７，図９等に示すように、制振材６が、当該長辺縁側周辺板部５２，５２の傾斜表面（上面）の裏面（下面）に接着されて、当該制振材６と長辺縁側周辺板部５２とが一体化された構成とした。
尚、制振材６としては、例えば、ゴムアスファルトを用いて形成されたものを用いた。具体的には、商品名「ＲＡシート」（宇部興産株式会社製）を制振材６として用いた。当該ＲＡシートは、ゴムアスファルトで含浸したポリエステル長繊維不織布基材とアスファルト粘着層とを圧着加工して形成された自己粘着層タイプのシートであり、成分比は、アスファルト５５〜６５％、石油系炭化水素５．０〜１５％、その他２５〜３５％である。
【００１８】
即ち、実施形態では、周辺板部のうち面積の大きい長辺縁側周辺板部５２の幅寸法Ｈを１２ｍｍ、長辺縁側周辺板部５２の板厚寸法を１．２ｍｍに設定するとともに、中央板部５１の表面に水滴が衝突した場合に、当該長辺縁側周辺板部５２が空間に放射する振動を抑制するために、当該長辺縁側周辺板部５２の傾斜表面（上面）の裏面（下面）に制振材６を接着して、当該制振材６と長辺縁側周辺板部５２とを一体化させた水滴受板５を構成した。
【００１９】
また、実施形態では、水滴受板５への水滴落下衝突時の音圧レベルのばらつきを小さくして高品質な換気口端末部材１を提供するため、板状の弾性支持体４におけるフード部３の天板３２及び水滴受板５と接していない部分に貫通孔Ｘを設けるとともに、当該水滴受板５と弾性支持体４とで構成される防振体の一次固有振動数ｆ０を、オクターブバンドの１６Ｈｚ以上で１２５Ｈｚ以下の周波数となるように、より好ましくは、オクターブバンドの１６Ｈｚ以上で６３Ｈｚ以下の周波数となるように設定した。
【００２０】
弾性支持体４は、板ばね６０を使用した。当該板ばね６０は、図６乃至図８に示すように、天板３２の上面の中央側に連結される中央板部６２と、中央板部６２の左右両方の端部からそれぞれ天板３２の上面と直交して水滴受板５の中央板部５１に近づく方向に延長する左右の立ち上がり板部６３，６３と、左右の立ち上がり板部６３，６３の上端からそれぞれ互いに反対方向に上がって傾斜するように延長する左右の傾斜板部６４，６４と、各傾斜板部６４，６４の上端からそれぞれ互いに反対方向に延長して水滴受板５の中央板部５１の下面５１ｕと接触して水滴受板５の中央板部５１の左右両側に連結される左右両方の端板部６１，６１とを備えた形状のものを用いた。
【００２１】
即ち、実施形態の換気口端末部材１は、図６に示すように、弾性支持体４を、貫通孔Ｘが形成された板ばね６０により構成し、当該板ばね６０の中央板部６２の中心と天板３２の上面の中心とを一致させた状態で当該中央板部６２と天板３２とが１組以上のボルト４１及びナット４２により連結されるとともに、天板３２に連結された板ばね６０の中央板部６２よりも上方に位置された板ばね６０の左右両方の端板部６１，６１と中央板部５１の左右側とがボルト４１及びナット４２により連結された構成とした。
尚、天板３２の下面とナット４２との間、端板部６１の下面とナット４２との間には、例えば、平座金４３及びばね座金４４が設置される。
【００２２】
即ち、実施形態に係る換気口端末部材１の弾性支持体４として板ばね６０は、中央側の中央板部６２がフード部３の天板３２に取付けられて左右両方の端部側の端板部６１，６１が水滴受板５に取付けられた金属板等の板材により構成され、貫通孔Ｘは、例えば、板ばね６０の中央板部６２と端板部６１との間の部分において、板ばね６０の延長方向に沿って延長する一定幅の長孔（スリット）により構成されている。
具体的には、図７，図８に示すように、貫通孔Ｘは、板ばね６０の延長方向に沿って左の立ち上がり板部６３及び傾斜板部６４の全域に亘って延長する左の貫通孔Ｘと、板ばね６０の延長方向に沿って右の立ち上がり板部６３及び傾斜板部６４の全域に亘って延長する右の貫通孔Ｘとにより構成される。
また、左の貫通孔Ｘ及び右の貫通孔Ｘは、立ち上がり板部６３及び傾斜板部６４の前後幅方向の中央側に設けられる。換言すれば、左の貫通孔Ｘ及び右の貫通孔Ｘは、貫通孔Ｘの前側側縁Ｘ１と立ち上がり板部６３及び傾斜板部６４の前側縁６０ａとの間の板幅ａと、貫通孔Ｘの後側側縁Ｘ２と立ち上がり板部６３及び傾斜板部６４の後側縁６０ｂとの間の板幅ａとが等しくなるように、立ち上がり板部６３及び傾斜板部６４の前後幅方向の中央側に形成されている。
尚、図７，図９において、符号５６は、水滴受板５の中央板部５１の左右両側に形成されたボルト挿通孔、図７，図８において、符号５７は、板ばね６０の中央板部６２及び端板部６１，６１に形成されたボルト挿通孔である。
【００２３】
実施形態の換気口端末部材１において、水滴受板５と弾性支持体４とで構成される防振体の一次固有振動数ｆ０は、次式（２）で求めることができる。
【数２】
2020143837.tif 000004
ここで、
ｆ０：防振体の一次固有振動数（Ｈｚ）
ｍ：水滴受板の質量（ｋｇ）
ｋ：弾性支持体のばね定数（Ｎ／ｍ）
【００２４】
一般に、上述した防振体の一次固有振動数ｆ０を低くするためには、弾性支持体４のばね定数を小さくすればよいが、弾性支持体４のばね定数を小さくしすぎると、弾性支持体４が柔らかくなりすぎて、防振体を構造体として成立させることが難しくなる。
そこで、このような場合は、水滴受板５の質量を大きくすることによって、防振体の一次固有振動数ｆ０を目標値（例えば、オクターブバンドの１６Ｈｚ以上で６３Ｈｚ以下）に設定すればよい。
例えば、水滴受板５の板厚を厚くしたり、あるいは、水滴受板５の裏面（下面）に、錘、補強板等の質量体を付加することにより、水滴受板５の質量を大きくして、防振体の一次固有振動数ｆ０を目標値（例えば、オクターブバンドの１６Ｈｚ以上で６３Ｈｚ以下）に設定すればよい。
【００２５】
本発明の換気口端末部材１の水滴落下衝突音低減効果を確認するための実験を以下のように行った。
【００２６】
・実験方法
共同住宅の給気孔に取付けた換気口端末部材の各試験体の水滴受板の中央板部の表面（上面）に水滴が落下する状況を模擬した実験を簡易無響室内で行った。
実験設備は以下のとおりである。
足場の下部に内径９００ｍｍ角の箱（内部をグラスウールで吸音処理した箱）を設置し、箱の正面中央の位置の外側に換気口端末部材の試験体を設置するとともに、内側にレジスター（内側換気口）を設置した。レジスターは樹脂製のプッシュタイプとし、実験時は「開」の状態とした。
共同住宅の一般的な階高を想定し，換気口端末部材の水滴受板の中央板部の表面に高さ３ｍの位置からスポイトを使って水滴を落下させた。
水滴落下衝突音の測定は、マイクロホンを箱内部の中心の位置に設置し、水滴落下衝突音の１／３オクターブバンド音圧レベルを測定した。各試験体の水滴受板の中央板部の表面への水滴の落下回数は、１試験体に対し５０回とし、外部からの影響の小さい４０回のデータの平均値を測定値とした。
【００２７】
実験に用いた換気口端末部材の各試験体は、図１０に示すように、
・制振材あり＝実施形態の換気口端末部材１
・制振材なし＝実施形態の換気口端末部材１から制振材６を除去した換気口端末部材
である。
尚、制振材ありの試験体の設計値は、水滴受板５の質量＝１４３ｇ、弾性支持体４のばね定数ｋ＝１６．１Ｎ／ｍｍとした。
また、制振材なしの試験体の設計値は、水滴受板５の質量＝１４１ｇ、弾性支持体４のばね定数ｋ＝１６．１Ｎ／ｍｍとした。
また、各換気口端末部材の試験体の材質、寸法等は、以下のとおりである。
共通部分＝筒部、フード部、水滴受板の材質＝ステンレス鋼ＳＵＳ３０４、水滴受板５の短辺４０ｍｍ、長辺１５０ｍｍ、長辺縁側周辺板部５２の幅寸法１２ｍｍ、長辺縁側周辺板部５２の板厚寸法１．２ｍｍとした。
【００２８】
・実験結果
実験に用いた換気口端末部材の各試験体において、水滴受板５の中央板部５１の表面（上面）に水滴が衝突した際に、長辺縁側周辺板部５２が空間に放射する固有振動数は、２ｋＨｚ帯域である。
図１０（ａ）に、制振材なしの試験体の水滴受板５の中央板部５１の表面に水滴が衝突した際に発生した音の２ｋＨｚ帯域の時系列波形を示す。
図１０（ｂ）に、制振材ありの試験体の水滴受板５の中央板部５１の表面に水滴が衝突した際に発生した音の２ｋＨｚ帯域の時系列波形を示す。
図１０（ｃ）に、各試験体の水滴受板５の中央板部５１の表面に水滴が衝突した際に発生した音の周波数分析結果を示す。
【００２９】
図１０（ａ）から明らかなように、制振材なしの試験体の場合、水滴受板５の中央板部５１の表面に水滴が衝突した際に発生した音は０．５秒経過しても完全に減衰していない。
一方、図１０（ｂ）から明らかなように、制振材ありの試験体の場合、水滴受板５の中央板部５１の表面に水滴が衝突した際に発生した音は０．１５秒程度で減衰していることがわかる。
即ち、制振材ありの試験体の場合、水滴受板５の中央板部５１の表面に水滴が衝突した際に、長辺縁側周辺板部５２，５２の振動を抑制できて、長辺縁側周辺板部５２，５２を介して空間に放射される振動を抑制でき、音の響きを低減できることが判明した。
【００３０】
また、図１０（ｃ）から明らかなように、２ｋＨｚ帯域の周波数分析結果を見ると、どちらの試験体も１７５０Ｈｚ付近でピーク（図１０（ｃ）のＡ部，Ｂ部参照）がみられるが、制振材ありの試験体の場合、制振材なしの試験体と比べて、ピークの鋭さが低減され、音圧レベルが小さくなっていることがわかる。
即ち、制振材ありの試験体の場合、制振材なしの試験体と比べて、水滴受板５の中央板部５１の表面に水滴が衝突した際に発生する音の周波数ピークの音圧レベルも低減できることが判明した。
【００３１】
実験結果から明らかなように、長辺縁側周辺板部５２，５２の傾斜表面の裏面に制振材６を接着して、当該制振材６と長辺縁側周辺板部５２とを一体化させた水滴受板５を備えた構成とすれば、水滴受板５の中央板部５１の表面に水滴が衝突した際に、長辺縁側周辺板部５２，５２の振動を抑制できて、長辺縁側周辺板部５２，５２を介して空間に放射される振動を抑制できるので、音の響きを低減でき、しかも、音の周波数ピークの音圧レベルも低減できることが判明した。
【００３２】
即ち、水滴受板５が、水滴を受ける中央板部５１と、中央板部５１の周辺に設けられた周辺板部とを備え、中央板部５１は水平方向に延在して水滴を受ける表面を有し、周辺板部は中央板部５１の表面より傾斜して下る傾斜表面を有した構成の場合、水滴受板５の中央板部５１の表面に水滴が衝突した際に発生する振動が水滴受板の中央板部５１の周縁の部分で増幅して周辺板部を介して空間に放射されるため、長く響く金属音が発生してしまい、当該音が不快な音と感じられる場合があった。
そこで、実施形態では、長辺縁側周辺板部５２，５２の傾斜表面の裏面に制振材６を接着して、当該制振材６と長辺縁側周辺板部５２とを一体化させた構成とし、水滴受板５の中央板部５１の表面に水滴が衝突した際の長辺縁側周辺板部５２，５２の振動を抑制するようにしたことで、長辺縁側周辺板部５２，５２の振動を抑制できて、長辺縁側周辺板部５２，５２から空間に放射される振動を低減できるので、長く響く金属音の発生を防止できるととともに、音の周波数ピークの音圧レベルも低減できるようになった。
【００３３】
また、実施形態に係る換気口端末部材１によれば、弾性支持体４におけるフード部３の天板３２及び水滴受板５と接していない部分に貫通孔（スリット）Ｘを備えた構成としたので、水滴受板５への水滴落下衝突時の音圧レベルのばらつき（音圧レベル測定値の標準偏差）を小さくできる高品質な換気口端末部材となる。
【００３４】
また、実施形態に係る換気口端末部材１によれば、水滴受板５と弾性支持体４とで構成される防振体の一次固有振動数ｆ０が、オクターブバンドの１６Ｈｚ以上で１２５Ｈｚ以下の周波数となるように設定したので、水滴落下衝突時における中高周波数帯域の音を低減させる効果が向上し、水滴落下衝突時のＡ特性音圧レベルをより低減できて、水滴落下衝突音の低減効果に優れた換気口端末部材１を得ることができる。
【００３５】
本発明においては、水滴受板５の長辺縁側周辺板部５２，５２は、水滴受板５の中央板部５１の表面に水滴が衝突した際に、１ｋＨｚ〜４ｋＨｚ帯域の振動を放射するように、中央板部５１より延長する方向の幅寸法Ｈ及び板厚寸法が設定されるとともに、制振材６が、当該長辺縁側周辺板部５２，５２の傾斜表面の裏面に接着等で取付けられて、制振材６と長辺縁側周辺板部５２とが一体化されたことにより、長辺縁側周辺板部５２，５２の１ｋＨｚ〜４ｋＨｚ帯域の振動を抑制できるように構成されていればよい。
【００３６】
尚、本発明の換気口端末部材１にあっては、全体の大きさから、長辺縁側周辺板部５２の幅寸法Ｈが１２ｍｍとなるとともに、長辺縁側周辺板部５２の板厚寸法が１．２ｍｍとなるように設計されているため、水滴受板５の中央板部５１の表面に水滴が衝突した際に、オクターブ２ｋＨｚ帯域の振動を放射する長辺縁側周辺板部５２，５２を備えた構成となっている。
【００３７】
また、制振材６としては、例えば、アスファルトにより形成された制振材、ゴムにより形成された制振材、樹脂により形成された制振材等を、接着剤を用いて長辺縁側周辺板部５２，５２の傾斜表面（上面）の裏面（下面）に貼り付けても良い。
【００３８】
また、制振材６を、長辺縁側周辺板部５２の裏面及び短辺縁側周辺板部５３の裏面、即ち、周辺板部の裏面（下面）のほぼ全面に貼り付けても良い。
また、制振材６を、周辺板部の表面（上面）に貼り付けても良い。
また、接着剤以外のもので、制振材６が周辺板部に取付けられた構成としてもよい。
【００３９】
また、本発明においては、換気口端末部材１の全体形状は丸形でもよい。
また、換気口端末部材１のフード部３の天板３２や水滴受板５の形状は矩形でなくてもよい。
例えば、上記では、水滴を受ける長方形板状の中央板部５１と、当該中央板部の周辺に設けられた長辺縁側周辺板部５２及び短辺縁側周辺板部５３とを備えた構成の水滴受板５を例示したが、長方形板状以外の形、例えば、長円板状に形成された中央板部と、当該中央板部の周辺に設けられた周辺板部とを備え、制振材６が当該周辺板部に取付けられた水滴受板を備えた構成の換気口端末部材としてもよい。
また、換気口端末部材１は、開口部が、フード部３の下部のみでなく、フード部３の側面、正面に設けられた構成であってもよい。また、開口部にネットが張られた構成のものであってもよい。
また、換気口端末部材１は、筒部２を備えずに、外壁に直接取り付けられる構成のものであってもよい。
【００４０】
また、水滴受板５と弾性支持体４との連結、弾性支持体４と天板３２との連結は、ボルト及びナットによる連結でなくともよい。例えば、溶接や接着剤等によって連結された構成としてもよい。
【００４１】
尚、貫通孔Ｘは、弾性支持体４におけるフード部３の天板３２及び水滴受板５と接していない部分に、例えば、弾性支持体４の中心を基準として、前後左右に均等に設けられていればよく、個数、形状等は、特に限定されない。
例えば、貫通孔Ｘは、板状の弾性支持体４の延長方向に沿って延長する複数の長孔（スリット）が板状の弾性支持体４の板幅方向に沿って所定間隔を隔てて並ぶように形成された構成、あるいは、板状の弾性支持体４の板幅方向に沿って延長する複数の長孔（スリット）が板状の弾性支持体４の延長方向に沿って所定間隔を隔てて並ぶように形成された構成、あるいは、円孔や矩形孔等の複数の個別孔が板状の弾性支持体４の延長方向に沿って所定間隔を隔てて並ぶように形成された構成、円孔や矩形孔等の複数の個別孔が板状の弾性支持体４にパンチングメタルのようにランダムに形成された構成等であってもよい。
【００４２】
また、実施形態では、水滴受板５と弾性支持体４とで構成される防振体の一次固有振動数ｆ０が、オクターブバンドの１６Ｈｚ以上で１２５Ｈｚ以下の周波数となるように設定された例を示したが、水滴受板５と弾性支持体４とで構成される防振体の一次固有振動数ｆ０が、オクターブバンドの１６Ｈｚ以上で１２５Ｈｚ以下の周波数となるように設定されていなくてもよい。例えば、当該防振体の一次固有振動数ｆ０が、オクターブバンドの１６Ｈｚよりも多少低い周波数となるように設定されたり、あるいは、当該防振体の一次固有振動数ｆ０が、オクターブバンドの１２５Ｈｚよりも多少高い周波数となるように設定されていても構わない。
【符号の説明】
【００４３】
１  換気口端末部材、３  フード部、４  弾性支持体、５  水滴受板、６  制振材、
３２  フード部の天板、５１  中央板部、５２  長辺縁側周辺板部（周辺板部）、
９０  建物、９１  外壁、９２  換気孔、９３  外壁面。
【図１】
2020143837.tif 000005
【図２】
2020143837.tif 000006
【図３】
2020143837.tif 000007
【図４】
2020143837.tif 000008
【図５】
2020143837.tif 000009
【図６】
2020143837.tif 000010
【図７】
2020143837.tif 000011
【図８】
2020143837.tif 000012
【図９】
2020143837.tif 000013
【図１０】
2020143837.tif 000014